(57)【特許請求の範囲】
【請求項１】
熱収縮性の外部チューブと、
前記外部チューブ内に挿入された熱溶融性の内部部材と、
前記外部チューブ内に前記内部部材に沿って挿入された抗張力体と、
を備え、前記内部部材は、複数の光ファイバ心線が挿入され、互いに略平行になるように整列された場合に、前記整列された複数の光ファイバ心線同士が互いに交差することを防止する交差防止機構を有し、前記交差防止機構は、前記内部部材がチューブ状であって、前記複数の光ファイバ心線が挿入される内部空間が、該内部部材の長手方向の少なくとも一部において、前記光ファイバ心線の被覆外径の２倍より低い高さである内寸を有することにより構成されており、前記内部空間が、前記内部部材の長手方向の少なくとも一部において、前記光ファイバ心線の被覆外径より低い高さを有し、加熱時には前記内部チューブが溶融するとともに前記外部チューブが収縮することを特徴とする補強スリーブ。
【請求項２】
熱収縮性の外部チューブと、
前記外部チューブ内に挿入された熱溶融性の内部部材と、
前記外部チューブ内に前記内部部材に沿って挿入された抗張力体と、
を備え、前記内部部材は、複数の光ファイバ心線が挿入され、互いに略平行になるように整列された場合に、前記整列された複数の光ファイバ心線同士が互いに交差することを防止する交差防止機構を有し、前記交差防止機構は、前記内部部材がチューブ状であって、前記複数の光ファイバ心線が挿入される内部空間が、該内部部材の長手方向の少なくとも一部において、前記光ファイバ心線の被覆外径の２倍より低い高さである内寸を有することにより構成されており、前記内部部材は、前記内部空間に連通するように該内部部材の側面に沿って形成されたスリットを有し、前記スリットから前記光ファイバ心線が前記内部空間に挿入され、加熱時には前記内部チューブが溶融するとともに前記外部チューブが収縮することを特徴とする補強スリーブ。
【請求項３】
前記内部部材は、前記スリットの少なくとも一方の側部に光ファイバ心線脱離防止弁を有することを特徴とする請求項２に記載の補強スリーブ。
【請求項４】
熱収縮性の外部チューブと、
前記外部チューブ内に挿入された熱溶融性の内部部材と、
前記外部チューブ内に前記内部部材に沿って挿入された抗張力体と、
を備え、前記内部部材は、複数の光ファイバ心線が挿入され、互いに略平行になるように整列された場合に、前記整列された複数の光ファイバ心線同士が互いに交差することを防止する交差防止機構を有し、前記交差防止機構は、前記内部部材がチューブ状であって、前記複数の光ファイバ心線が挿入される内部空間が、該内部部材の長手方向の少なくとも一部において、前記光ファイバ心線の被覆外径の２倍より低い高さである内寸を有することにより構成されており、前記内部空間は、長手方向に沿って形成され、前記交差防止機構の領域における高さよりも高く形成された光ファイバ挿入領域を有し、加熱時には前記内部チューブが溶融するとともに前記外部チューブが収縮することを特徴とする補強スリーブ。
【請求項５】
熱収縮性の外部チューブと、
前記外部チューブ内に挿入された熱溶融性の内部部材と、
前記外部チューブ内に前記内部部材に沿って挿入された抗張力体と、
を備え、前記内部部材は、複数の光ファイバ心線が挿入され、互いに略平行になるように整列された場合に、前記整列された複数の光ファイバ心線同士が互いに交差することを防止する交差防止機構を有し、前記交差防止機構は、前記内部部材がチューブ状であって、前記複数の光ファイバ心線が挿入される内部空間が、該内部部材の長手方向の少なくとも一部において、前記光ファイバ心線の被覆外径の２倍より低い高さである内寸を有することにより構成されており、前記内部部材の一方の端部において該内部空間の内寸よりも広い開口を有するように該端部が加工されており、加熱時には前記内部チューブが溶融するとともに前記外部チューブが収縮することを特徴とする補強スリーブ。
【請求項６】
熱収縮性の外部チューブと、
前記外部チューブ内に挿入された熱溶融性の内部部材と、
前記外部チューブ内に前記内部部材に沿って挿入された抗張力体と、
を備え、前記内部部材は、複数の光ファイバ心線が挿入され、互いに略平行になるように整列された場合に、前記整列された複数の光ファイバ心線同士が互いに交差することを防止する交差防止機構を有し、前記交差防止機構は、前記内部部材が、該内部部材の長手方向の少なくとも一部において、前記複数の光ファイバ心線のそれぞれが挿入される複数の孔を有することにより構成されていることを特徴とする補強スリーブ。
【請求項７】
熱収縮性の外部チューブと、
前記外部チューブ内に挿入された熱溶融性の内部部材と、
前記外部チューブ内に前記内部部材に沿って挿入された抗張力体と、
を備え、前記内部部材は、複数の光ファイバ心線が挿入され、互いに略平行になるように整列された場合に、前記整列された複数の光ファイバ心線同士が互いに交差することを防止する交差防止機構を有し、前記交差防止機構は、前記内部部材が、該内部部材の長手方向の少なくとも一部において、前記複数の光ファイバ心線のそれぞれが挿入される複数のスリットを有することにより構成されていることを特徴とする補強スリーブ。
【請求項８】
前記抗張力体の幅は、前記内部部材の内部空間の幅よりも広いことを特徴とする請求項１〜７のいずれか一つに記載の補強スリーブ。
【請求項９】
前記抗張力体の前記内部部材に対向する面が平面であることを特徴とする請求項１〜８のいずれか一つに記載の補強スリーブ。
【請求項１０】
前記抗張力体の長手方向に垂直な断面の形状は、前記内部部材に対向する側に位置する直線と、前記直線の各端を結ぶ円弧で形成されていることを特徴とする請求項８または９に記載の補強スリーブ。
【請求項１１】
前記内部部材は、長手方向において第１内部部材と第２内部部材とに分離可能に構成されていることを特徴とする請求項１〜１０のいずれか一つに記載の補強スリーブ。
【請求項１２】
請求項１〜１０のいずれか一つに記載の補強スリーブに第１の複数の光ファイバ心線を挿入して互いに略平行になるように整列された状態とし、
前記第１の複数の光ファイバ心線を第１光ファイバホルダにセットし、
第２の複数の光ファイバ心線を第２光ファイバホルダにセットし、
前記第１の複数の光ファイバ心線と前記第２の複数の光ファイバ心線とを融着接続し、
前記融着接続した第１および第２の複数の光ファイバ心線の融着接続部を覆う位置に前記補強スリーブを移動し、
前記融着接続した第１および第２の複数の光ファイバ心線を加熱器に移動する、
ことを含むことを特徴とする光ファイバ心線の融着接続方法。
【請求項１３】
請求項１１の記載の補強スリーブから前記第２内部部材を分離し、
前記補強スリーブに第１の複数の光ファイバ心線を挿入して互いに略平行になるように整列された状態とし、
前記分離した第２内部部材に第２の複数の光ファイバ心線を挿入して互いに略平行になるように整列された状態とし、
前記第１の複数の光ファイバ心線を第１光ファイバホルダにセットし、
前記第２の複数の光ファイバ心線を第２光ファイバホルダにセットし、
前記第１の複数の光ファイバ心線と前記第２の複数の光ファイバ心線とを融着接続し、
前記融着接続した第１および第２の複数の光ファイバ心線の融着接続部を覆う位置に前記補強スリーブを移動し、
前記補強スリーブの前記外部チューブに前記分離した第２内部部材を挿入し、
前記融着接続した第１および第２の複数の光ファイバ心線を加熱器に移動する、
ことを含むことを特徴とする光ファイバ心線の融着接続方法。
【請求項１４】
請求項１〜１０のいずれか一つに記載の補強スリーブに第１の複数の光ファイバ心線を挿入して互いに略平行になるように整列された状態とし、
前記第１の複数の光ファイバ心線を第１光ファイバホルダにセットし、
第２の複数の光ファイバ心線を第２光ファイバホルダにセットし、
前記第１の複数の光ファイバ心線と前記第２の複数の光ファイバ心線とを融着接続し、
前記融着接続した第１および第２の複数の光ファイバ心線の融着接続部を覆う位置に前記補強スリーブを移動し、
前記融着接続した第１および第２の複数の光ファイバ心線を加熱器に移動する、
ことを含み、前記複数の光ファイバ芯線が整列された状態の幅よりも、前記抗張力体の幅の方が広いことを特徴とする光ファイバ心線の融着接続方法。
【発明の詳細な説明】
【技術分野】
【０００１】
本発明は、光ファイバ心線用の補強スリーブおよび光ファイバ心線の融着接続方法に関する。
【背景技術】
【０００２】
光ファイバ通信のために用いる光ファイバケーブル内には、光ファイバ心線が複数本収容されている。ＦＴＴＨ（Fiber  To  The  Home）等で各家庭に光ファイバ心線を分配する場合、光ファイバケーブル内から１本の光ファイバ心線を取り出し、各家庭へと配線していく。なお、光ファイバ心線は、ガラスからなる光ファイバの外周に被覆を形成したものである。
【０００３】
通常、光ファイバケーブルは一定の長さに製造するため、分配先が遠い場合には各家庭に分配するまでの光ファイバケーブルを延長することになる。この場合、延長は光ファイバケーブル同士を接続して行うこととなるが、その際に、接続すべき光ファイバケーブル内に収容された多数の光ファイバ心線同士を融着接続する。
【０００４】
ここで、融着接続作業は、一般に以下の（１）〜（１０）の手順で行われる。
（１）補強スリーブのセット：光ファイバの融着接続部を保護・補強するための補強スリーブにあらかじめ一方の光ファイバケーブ内の複数の光ファイバ心線を挿入しておく。
（２）光ファイバホルダへのセット：融着接続すべき光ファイバ心線をそれぞれ光ファイバホルダにセットする。
（３）ストリップ：光ファイバストリッパで各光ファイバ心線の被覆を剥いて光ファイバを露出させる。
（４）清掃：各光ファイバ表面のゴミを除去するために、エタノール等で湿らせたガーゼ等で清掃する。
（５）切断：露出した各光ファイバの端部を所定の長さに切断する。
（６）融着接続機へのセット：（１）〜（５）の前処理を終えた後、各光ファイバホルダを融着接続機にセットする。
（７）融着接続：光ファイバ同士を融着接続する。
（８）補強スリーブの移動：補強スリーブを、融着接続部を覆う位置に移動する。
（９）加熱器へ移動：融着接続した光ファイバ心線を加熱器に移動する。
（１０）加熱：加熱器で補強スリーブを加熱し、溶解収縮する。
【０００５】
なお、補強スリーブは、熱収縮性の外部チューブ内に、熱溶融性の内部チューブと抗張力体とが挿入されたものである。内部チューブに光ファイバを挿通した状態で補強スリーブを加熱すると、内部チューブが溶融するとともに熱収縮チューブが収縮する。これによって融着接続した光ファイバ心線と補強スリーブとが一体化し、被覆が除去されて光ファイバが露出された部分が保護・補強される。
【０００６】
上記のように、光ファイバ心線同士を１本ずつ融着接続行う作業は時間と手間が掛かる。これを回避するため、複数の光ファイバ心線同士をまとめて融着接続する方法が開示されている。
【０００７】
たとえば、複数の光ファイバ心線を平行に並べてテープ状にして接着剤で固定して、光ファイバテープ心線として融着接続する方法がある（たとえば特許文献１）。また、複数の光ファイバ心線を平行に並べてテープ状にして接着フィルムまたは接着テープで固定して、光ファイバテープ心線として融着接続する方法がある（たとえば特許文献２）。しかしながら、これらの方法は、光ファイバ心線を整列させるための治具や接着剤などが必要となる。また、接着剤を塗布するまたは接着フィルム等を貼り付ける作業や接着剤が硬化するまでの待ち時間が必要になるなどのわずらわしさがある。また、融着接続後も接着剤を塗布または接着フィルムを貼り付けたままにする場合、光ファイバ心線や光ファイバの融着接続部に悪影響が及ばない材料を選定する必要がある。
【０００８】
上記の問題を回避する方法として、複数の光ファイバ心線同士をまとめて融着接続する方法として、光ファイバホルダ内で複数本の光ファイバ心線を整列し、整列した状態で融着接続する方法がある（たとえば特許文献３〜８）。
【先行技術文献】
【特許文献】
【０００９】
【特許文献１】特開２００１−１３３３０号公報
【特許文献２】特開２００４−１６３６９３号公報
【特許文献３】特開２０１１−２８５８号公報
【特許文献４】特開２００７−１７１８２５号公報
【特許文献５】特開２００７−１７１８２４号公報
【特許文献６】特開２００５−２５８１２９号公報
【特許文献７】特開２０００−２９２６３９号公報
【特許文献８】特開平１１−４４８２８号公報
【発明の概要】
【発明が解決しようとする課題】
【００１０】
しかしながら、従来、融着接続した光ファイバ心線を加熱器に移動する際に、整列させた光ファイバ心線の整列状態が崩れて互いに交差してしまう場合があった。このように光ファイバ心線が互いに交差した状態で補強スリーブの加熱収縮を行うと、被覆が除去された光ファイバが互いに接触したり、光ファイバに応力が掛かることによって折損したりする場合がある。また、光ファイバ心線同士の長手方向での互いの位置がずれてしまう場合もある。
【００１１】
本発明は、上記に鑑みてなされたものであって、融着接続作業時の光ファイバ心線の交差を防止できる光ファイバ心線用の補強スリーブおよび光ファイバ心線の融着接続方法を提供することを目的とする。
【課題を解決するための手段】
【００１２】
上述した課題を解決し、目的を達成するために、本発明に係る補強スリーブは、熱収縮性の外部チューブと、前記外部チューブ内に挿入された熱溶融性の内部部材と、前記外部チューブ内に前記内部部材に沿って挿入された抗張力体と、を備え、前記内部部材は、複数の光ファイバ心線が挿入され、互いに略平行になるように整列された場合に、前記整列された複数の光ファイバ心線同士が互いに交差することを防止する交差防止機構を有する。
【００１３】
また、本発明に係る補強スリーブは、上記の発明において、前記交差防止機構は、前記内部部材がチューブ状であって、前記複数の光ファイバ心線が挿入される内部空間が、該内部部材の長手方向の少なくとも一部において、前記光ファイバ心線の被覆外径の２倍より低い高さである内寸を有することにより構成されている。
【００１４】
また、本発明に係る補強スリーブは、上記の発明において、前記内部空間が、前記内部部材の長手方向の少なくとも一部において、前記光ファイバ心線の被覆外径より低い高さを有する。
【００１５】
また、本発明に係る補強スリーブは、上記の発明において、前記内部部材は、前記内部空間に連通するように該内部部材の側面に沿って形成されたスリットを有し、前記スリットから前記光ファイバ心線が前記内部空間に挿入される。
【００１６】
また、本発明に係る補強スリーブは、上記の発明において、前記内部部材は、前記スリットの少なくとも一方の側部に光ファイバ心線脱離防止弁を有する。
【００１７】
また、本発明に係る補強スリーブは、上記の発明において、前記内部空間は、長手方向に沿って形成され、前記交差防止機構の領域における高さよりも高く形成された光ファイバ挿入領域を有する。
【００１８】
また、本発明に係る補強スリーブは、上記の発明において、前記内部部材の一方の端部において該内部空間の内寸よりも広い開口を有するように該端部が加工されている。
【００１９】
また、本発明に係る補強スリーブは、上記の発明において、前記交差防止機構は、前記内部部材が、該内部部材の長手方向の少なくとも一部において、前記複数の光ファイバ心線のそれぞれが挿入される複数の孔を有することにより構成されている。
【００２０】
また、本発明に係る補強スリーブは、上記の発明において、前記交差防止機構は、前記内部部材が、該内部部材の長手方向の少なくとも一部において、前記複数の光ファイバ心線のそれぞれが挿入される複数のスリットを有することにより構成されている。
【００２１】
また、本発明に係る補強スリーブは、上記の発明において、前記内部部材は、長手方向において第１内部部材と第２内部部材とに分離可能に構成されている。
【００２２】
また、本発明に係る光ファイバ心線の融着接続方法は、上記の発明の補強スリーブに第１の複数の光ファイバ心線を挿入して互いに略平行になるように整列された状態とし、前記第１の複数の光ファイバ心線を第１光ファイバホルダにセットし、第２の複数の光ファイバ心線を第２光ファイバホルダにセットし、前記第１の複数の光ファイバ心線と前記第２の複数の光ファイバ心線とを融着接続し、前記融着接続した第１および第２の複数の光ファイバ心線の融着接続部を覆う位置に前記補強スリーブを移動し、前記融着接続した第１および第２の複数の光ファイバ心線を加熱器に移動する、ことを含む。
【００２３】
また、本発明に係る光ファイバ心線の融着接続方法は、上記の発明の補強スリーブから前記第２内部部材を分離し、前記補強スリーブに第１の複数の光ファイバ心線を挿入して互いに略平行になるように整列された状態とし、前記分離した第２内部部材に第２の複数の光ファイバ心線を挿入して互いに略平行になるように整列された状態とし、前記第１の複数の光ファイバ心線を第１光ファイバホルダにセットし、前記第２の複数の光ファイバ心線を第２光ファイバホルダにセットし、前記第１の複数の光ファイバ心線と前記第２の複数の光ファイバ心線とを融着接続し、前記融着接続した第１および第２の複数の光ファイバ心線の融着接続部を覆う位置に前記補強スリーブを移動し、前記補強スリーブの前記外部チューブに前記分離した第２内部部材を挿入し、前記融着接続した第１および第２の複数の光ファイバ心線を加熱器に移動する、ことを含む。
【発明の効果】
【００２４】
本発明によれば、融着接続作業時の光ファイバ心線の交差を防止できるという効果を奏する。
【図面の簡単な説明】
【００２５】
【図１】図１は、実施の形態１に係る補強スリーブに光ファイバ心線を挿入した状態を示す模式図である。
【図２】図２は、図１に示す補強スリーブを端部側から長手方向に沿って見た図である。
【図３】図３は、光ファイバホルダに光ファイバ心線をセットした状態を示す模式図である。
【図４】図４は、図３に示す光ファイバホルダのＡ−Ａ線断面図である。
【図５】図５は、光ファイバ心線を一括して融着接続する工程を説明する図である。
【図６】図６は、補強スリーブを融着接続部に移動する工程を説明する図である。
【図７】図７は、変形例１に係る内部チューブを長手方向に沿って切断した断面図である。
【図８】図８は、実施の形態２に係る補強スリーブを端部側から長手方向に沿って見た図である。
【図９】図９は、変形例２に係る内部チューブを端部側から長手方向に沿って見た図である。
【図１０】図１０は、変形例３に係る内部チューブを端部側から長手方向に沿って見た図である。
【図１１】図１１は、変形例４に係る内部チューブを端部側から長手方向に沿って見た図である。
【図１２】図１２は、変形例５に係る内部チューブを端部側から長手方向に沿って見た図である。
【図１３】図１３は、変形例６に係る内部チューブを端部側から長手方向に沿って見た図である。
【図１４】図１４は、変形例７に係る内部チューブを端部側から長手方向に沿って見た図である。
【図１５】図１５は、変形例８に係る内部チューブを端部側から長手方向に沿って見た図である。
【図１６】図１６は、実施の形態３に係る補強スリーブに光ファイバ心線を挿入した状態を示す模式的な一部透視図である。
【図１７】図１７は、実施の形態４に係る補強スリーブを端部側から長手方向に沿って見た図である。
【図１８】図１８は、実施の形態５に係る補強スリーブを端部側から長手方向に沿って見た図である。
【図１９】図１９は、実施の形態５の変形例に係る補強スリーブを端部側から長手方向に沿って見た図である。
【図２０】図２０は、変形例９に係る内部チューブの側面図である。
【図２１】図２１は、変形例１０に係る内部チューブの側面図である。
【発明を実施するための形態】
【００２６】
以下に、図面を参照して本発明に係る補強スリーブおよび光ファイバ心線の融着接続方法の実施の形態を詳細に説明する。なお、この実施の形態によりこの発明が限定されるものではない。また、各図面において、同一または対応する要素には適宜同一の符号を付している。さらに、図面は模式的なものであり、各層の厚みと幅との関係、各層の比率などは、現実のものとは異なる場合があることに留意する必要がある。図面の相互間においても、互いの寸法の関係や比率が異なる部分が含まれている場合がある。
【００２７】
（実施の形態１）
図１は、実施の形態１に係る補強スリーブに光ファイバ心線を挿入した状態を示す模式図である。図２は、図１に示す補強スリーブを端部側から長手方向に沿って見た図である。
【００２８】
図１、２に示すように、補強スリーブ１０は、外部チューブ１１と、外部チューブ１１に挿入された内部部材である内部チューブ１２と、外部チューブ１１内に内部チューブ１２に沿って挿入された抗張力体１３と、を備えている。
【００２９】
外部チューブ１１は、断面が円状であり、ポリオレフィン系樹脂などの熱収縮性の材料からなる。内部チューブ１２は、断面が長方形状であり、ＥＶＡ（エチレン酢酸ビニル共重合系樹脂）などの熱溶融性の材料からなる。抗張力体１３は、断面が半円状であり、ＳＵＳ（ステンレス鋼）やガラスなどの材料からなる。また、外部チューブ１１、内部チューブ１２、抗張力体１３は、略同じ長さを有するが、内部チューブ１２および抗張力体１３は外部チューブ１１より短くてもよい。
【００３０】
光ファイバ心線Ｆは、石英系ガラスからなる光ファイバＦ１と、樹脂からなり、光ファイバＦ１を覆う被覆Ｆ２とを備えている。４本の光ファイバ心線Ｆが内部チューブ１２に挿入され、整列された状態となっている。なお、本実施の形態１では、挿入される光ファイバ心線の本数は４本であるが、２本以上であれば特に限定はされず、たとえば２本から３２本とすることができる。
【００３１】
ここで、内部チューブ１２の内部空間１２ａが、長手方向にわたって、高さＨ１、幅Ｗ１の内寸を有している。この高さＨ１は、光ファイバ心線Ｆの被覆外径ＤＦの２倍より低い高さであり、幅Ｗ１は、４本の光ファイバ心線Ｆが整列された幅ＷＦよりも広い幅である。たとえば、被覆外径ＤＦが２５０μｍの場合は、高さＨ１は５００μｍより小さい値であり、幅Ｗ１は１ｍｍより大きい値である。また、被覆外径ＤＦが５００μｍの場合は、高さＨ１は１ｍｍより小さい値であり、幅Ｗ１は２ｍｍより大きい値である。なお、被覆外径ＤＦの値は例示であり、特に限定はされない。
【００３２】
従来の補強スリーブでは、光ファイバ心線を内部チューブに挿入する際に挿入しやすいように、内部チューブの内寸を十分に大きくしていた。これに対して、この補強スリーブ１０では、内部チューブ１２の内部空間１２ａの高さＨ１が、光ファイバ心線Ｆの被覆外径ＤＦの２倍より低い高さである内寸を有することによって、交差防止機構が構成されている。この交差防止機構によって、融着接続作業の際に、整列された４本の光ファイバ心線Ｆ同士が互いに交差するのに十分な内部空間１２ａの高さがないため、光ファイバ心線Ｆは他の光ファイバ心線Ｆを乗り越えられない。その結果、４本の光ファイバ心線Ｆ同士の交差が防止される。
【００３３】
つぎに、補強スリーブ１０を用いた光ファイバ心線Ｆの融着接続方法について説明する。まず、融着接続すべき４本の光ファイバ心線Ｆを２組準備し、図１のように、一方の４本の光ファイバ心線Ｆを１本ずつ補強スリーブ１０の内部チューブ１２に挿入し、４本の光ファイバ心線Ｆが互いに略平行になるように整列させた状態とする。なお、４本の光ファイバ心線Ｆを一括して補強スリーブ１０に挿入してもよい。
【００３４】
つぎに、２組の４本の光ファイバ心線Ｆのそれぞれを光ファイバホルダにセットする。図３は、光ファイバホルダ１１０に４本の光ファイバ心線Ｆをセットした状態を示す模式図である。図４は、図３に示す光ファイバホルダ１１０のＡ−Ａ線断面図である。
【００３５】
ここで、光ファイバホルダ１１０は、光ファイバＦを収容するための溝１１１が長手方向に沿って形成された本体部１１２と、本体部１１２にヒンジ１１３によって開閉可能に取り付けられた仮押さえ蓋１１４と、本体部１１２にヒンジ１１５によって開閉可能に取り付けられた本押さえ蓋１１６と、仮押さえ蓋１１４直下の本体部１１２に埋設されたスポンジ等からなる弾性部材１１７と、本押さえ蓋１１６に埋設されたゴム等からなる弾性部材１１８と、を備えている。
【００３６】
また、図４に示すように、弾性部材１１７は、本体部１１２の上面１１２ａよりも上側にやや突出している。また、仮押さえ蓋１１４のヒンジ１１３の反対側にはテーパ部１１４ａが形成されている。仮押さえ蓋１１４のヒンジ１１３側には段差１１４ｂが形成されている。また、上面１１２ａと仮押さえ蓋１１４との間には隙間１１４ｃが形成されている。
【００３７】
この光ファイバホルダ１１０に４本の光ファイバ心線Ｆをセットする場合は、まず、仮押さえ蓋１１４を閉じた状態で、テーパ部１１４ａ側から隙間１１４ｃに光ファイバ心線Ｆを順次挿入していく。４本の光ファイバ心線Ｆは、段差１１４ｂに当接した状態で整列される。このとき、４本の光ファイバ心線Ｆは、上面１１２ａよりも突出した部分の弾性部材１１７が弾性変形することによって保持され、仮押さえされる。その後、本押さえ蓋１１６を閉じることによって、４本の光ファイバ心線Ｆは、ばらばらになることなく整列した状態で光ファイバホルダ１１０にセットされる。
【００３８】
つぎに、光ファイバストリッパで各光ファイバ心線Ｆの先端部の被覆Ｆ２を剥いて光ファイバＦ１を露出させ、光ファイバＦ１の表面のゴミを除去し、光ファイバＦ１の端部を所定の長さに切断する。
【００３９】
図５は、４本の光ファイバ心線Ｆ同士を一括して融着接続する工程を説明する図である。図５に示すように、２つの光ファイバホルダ１１０をそれぞれ融着接続機１００のホルダステージ１２０にそれぞれ載置すると、光ファイバＦ１は位置決めのためのガイドブロック１３０に載置される。つぎに、放電電極１４０によって、対抗する光ファイバＦ１の端面にアーク放電を行い、４本の光ファイバ心線Ｆ同士を一括で融着接続する。
【００４０】
図６は、補強スリーブを融着接続部に移動する工程を説明する図である。図６に示すように、融着接続後、融着接続した各光ファイバ心線Ｆを各光ファイバホルダ１１０から取り外し、補強スリーブ１０を、４本の光ファイバ心線Ｆ同士の融着接続部Ｃを覆う位置に移動する。なお、図６からわかるように、補強スリーブ１０およびこれに挿入された内部チューブ１２の長さは、少なくとも融着接続した光ファイバＦ１の両方の被覆Ｆ２の一部を覆うような長さに設定される。
【００４１】
つぎに、融着接続した各光ファイバ心線Ｆを持って補強スリーブ１０を加熱器１５０に移動する。ここで、補強スリーブ１０の内部チューブ１２は交差防止機構を有するので、移動の際に整列された４本の光ファイバ心線Ｆ同士が互いに交差することが防止される。その結果、光ファイバＦ１が互いに接触し折損したりすることが防止される。
【００４２】
以上説明したように、本実施の形態１に係る補強スリーブ１０によれば、融着接続作業時の光ファイバ心線Ｆの交差を防止できる。
【００４３】
なお、上記実施の形態１では、内部チューブ１２の内部空間１２ａが、長手方向にわたって高さＨ１、幅Ｗ１の内寸を有している。しかし、必ずしも長手方向全体にわたって高さＨ１、幅Ｗ１である必要はなく、長手方向の少なくとも一部で高さＨ１、幅Ｗ１を有していればよい。
【００４４】
図７は、変形例１に係る内部チューブを長手方向に沿って切断した断面図である。この内部チューブ１２Ａでは、内部空間１２Ａａの長手方向の一部が高さＨ１であり、その他の部分では高さＨ１よりも高くなっている。実施の形態１に係る補強スリーブ１０において、内部チューブ１２に代えてこのような内部チューブ１２Ａを用いても、融着接続作業時の光ファイバ心線Ｆの交差を防止できる。また、高さＨ１である部分以外の部分では、内部空間１２Ａａの内寸が大きいため、光ファイバ心線Ｆを挿入する作業が容易になる。ただし、高さＨ１である部分は、補強スリーブを融着接続部を覆う位置に移動した際に、光ファイバ心線Ｆの被覆Ｆ２に相当する位置に存在する必要がある。
【００４５】
（実施の形態２）
図８は、実施の形態２に係る補強スリーブ２０を端部側から長手方向に沿って見た図である。図８に示すように、補強スリーブ２０は、外部チューブ２１と、外部チューブ２１に挿入された内部部材である内部チューブ２２と、外部チューブ２１内に内部チューブ２２に沿って挿入された抗張力体２３と、を備えている。
【００４６】
外部チューブ２１、内部チューブ２２、抗張力体２３の材料、ならびに外部チューブ２１、抗張力体２３の形状は、それぞれ外部チューブ１１、内部チューブ１２、抗張力体１３と同様である。
【００４７】
ここで、内部チューブ２２の内部空間２２ａが、長手方向にわたって、高さＨ２、幅Ｗ２の内寸を有している。この高さＨ２は、光ファイバ心線Ｆの被覆外径ＤＦよりも、たとえば数μｍ程度だけわずかに低い高さであり、幅Ｗ２は、４本の光ファイバ心線Ｆが整列された幅ＷＦよりも広い幅である。
【００４８】
この補強スリーブ２０では、内部チューブ２２の内部空間２２ａの高さＨ２が、光ファイバ心線Ｆの被覆外径ＤＦよりもわずかに低い高さである内寸を有することによって、整列された４本の光ファイバ心線Ｆ同士が、互いに交差することを防止する交差防止機構が構成されている。この交差防止機構によって、融着接続作業の際に、整列された４本の光ファイバ心線Ｆ同士が互いに交差することが防止される。さらには、光ファイバ心線Ｆが内部チューブ２２によって挟まれて摩擦が生じるため、光ファイバ心線Ｆが補強スリーブ２０から脱落しにくくなり、かつ光ファイバ心線Ｆが位置ずれしにくくなる。
【００４９】
なお、この補強スリーブ２０を用いて光ファイバ心線Ｆの融着接続をする場合は、実施の形態１に係る補強スリーブ１０を用いた場合と同様の手順で行うことができる。また、光ファイバ心線Ｆを補強スリーブ２０の内部チューブ２２に挿入する際は、内部チューブ２２を補強スリーブ２０から取り外し、内部チューブ２２を幅方向両側から押圧して内部空間２２ａを高さ方向に広げた状態として光ファイバ心線Ｆを挿入すると挿入作業が容易になる。
【００５０】
内部空間２２ａの高さＨ２は、光ファイバ心線Ｆの被覆外径ＤＦよりも小さければ摩擦が生じるのでよい。ただし、被覆外径ＤＦの２／３以上の高さのであれば、光ファイバ心線Ｆを挿入する作業がより容易となるので好ましい。
【００５１】
つぎに、実施の形態２に係る補強スリーブ２０の内部チューブに代えて使用することができる内部チューブの変形例について説明する。
【００５２】
図９は、変形例２に係る内部チューブを端部側から長手方向に沿って見た図である。この変形例２に係る内部チューブ２２Ａは、内部空間２２Ａａの高さが略ゼロであり、これによって交差防止機構が構成されている。この内部チューブ２２Ａを用いた場合も、光ファイバ心線Ｆが補強スリーブ２０から脱落しにくくなり、かつ光ファイバ心線Ｆが位置ずれしにくくなる。なお、光ファイバ心線Ｆを挿入する際は、内部チューブ２２Ａを幅方向両側から押圧して内部空間２２Ａａを高さ方向に広げた状態として光ファイバ心線Ｆを挿入すると作業が容易になる。
【００５３】
図１０は、変形例３に係る内部チューブを端部側から長手方向に沿って見た図である。この変形例２に係る内部チューブ２２Ｂは、内部チューブ２２と同様に内部空間２２Ｂａの高さが、光ファイバ心線Ｆの被覆外径ＤＦよりもわずかに低い高さであり、これによって交差防止機構が構成されている。ただし、内部チューブ２２Ｂは、内部空間２２Ｂａに連通するように内部チューブ２２Ｂの側面に沿って形成されたスリット２２Ｂｂを有している。したがって、このスリット２２Ｂｂから光ファイバ心線Ｆを内部空間２２Ｂａに挿入することで、挿入作業が容易になる。なお、内部空間２２Ｂａの高さは、被覆外径ＤＦよりも低い高さであればよいが、それに限定されず、被覆外径ＤＦの２倍より低い高さであればよい。
【００５４】
図１１は、変形例４に係る内部チューブを端部側から長手方向に沿って見た図である。この変形例４に係る内部チューブ２２Ｃは、内部空間２２Ｃａの高さは略ゼロであり、これによって交差防止機構が構成されている。また、内部チューブ２２Ｃは、内部空間２２Ｃａに連通するように内部チューブ２２Ｃの側面に沿って形成されたスリット２２Ｃｂを有している。したがって、このスリット２２Ｃｂから光ファイバ心線Ｆを順次内部空間２２Ｃａに挿入することで、挿入作業が容易になる。
【００５５】
図１２は、変形例５に係る内部チューブを端部側から長手方向に沿って見た図である。この変形例５に係る内部チューブ２２Ｄは、内部チューブ２２と同様に内部空間２２Ｄａの高さが、光ファイバ心線Ｆの被覆外径ＤＦよりもわずかに低い高さであり、これによって交差防止機構が構成されている。また、内部チューブ２２Ｄは、内部空間２２Ｄａに連通するように内部チューブ２２Ｄの側面に沿って形成されたスリット２２Ｄｂを有している。さらに、内部チューブ２２Ｄは、スリット２２Ｄｂの一方の側部に光ファイバ心線脱離防止弁２２Ｄｃを有する。したがって、スリット２２Ｄｂから光ファイバ心線Ｆを内部空間２２Ｄａに挿入することで、挿入作業が容易になるとともに、光ファイバ心線脱離防止弁２２Ｄｃによって、挿入した光ファイバ心線Ｆの内部空間２２Ｄａからの脱離が防止される。なお、光ファイバ心線脱離防止弁２２Ｄｃは内部チューブ２２Ｄの長手方向の全部にわたって形成されてもよいし、一部に形成されてもよい。また、内部空間２２Ｄａの高さは、被覆外径ＤＦよりも低い高さであればよいが、それに限定されず、被覆外径ＤＦの２倍より低い高さであればよい。
【００５６】
図１３は、変形例６に係る内部チューブを端部側から長手方向に沿って見た図である。この変形例６に係る内部チューブ２２Ｅは、内部チューブ２２Ｄを上下に逆にした構成を有している。この内部チューブ２２Ｅの場合の内部空間２２Ｅａに光ファイバ心線Ｆを挿入する場合には、まず、内部チューブ２２Ｅを外部チューブ２１に挿入したままで、光ファイバ心線Ｆを、外部チューブ２１内の、光ファイバ待ち部２２Ｅｄの上の領域に挿入する。つぎに、挿入した光ファイバ心線Ｆをスリット２２Ｅｂから内部空間２２Ｅａに挿入する。挿入した光ファイバ心線Ｆは、光ファイバ心線脱離防止弁２２Ｅｃによって、内部空間２２Ｅａからの脱離が防止される。この内部チューブ２２Ｅの場合は、内部チューブ２２Ｅを外部チューブ２１に挿入したままでも、光ファイバ心線Ｆの挿入作業が容易である。ただし、内部チューブ２２Ｅを外部チューブ２１から取り外して挿入作業を行ってもよい。なお、光ファイバ心線脱離防止弁２２Ｅｃも、内部チューブ２２Ｅの長手方向の全部にわたって形成されてもよいし、一部に形成されてもよい。
【００５７】
図１４は、変形例７に係る内部チューブを端部側から長手方向に沿って見た図である。この変形例７に係る内部チューブ２２Ｆは、内部チューブ２２と同様に内部空間２２Ｆａの高さが、光ファイバ心線Ｆの被覆外径ＤＦよりもわずかに低い高さであり、これによって交差防止機構が構成されている。また、内部チューブ２２Ｆは、内部空間２２Ｆａに連通するように内部チューブ２２Ｆの側面に沿って形成されたスリット２２Ｆｂを有している。さらに、内部チューブ２２Ｆは、スリット２２Ｆｂの両方の側部に光ファイバ心線脱離防止弁２２Ｆｃを有する。したがって、スリット２２Ｆｂから光ファイバ心線Ｆを内部空間２２Ｆａに挿入することで、挿入作業が容易になるとともに、２つの光ファイバ心線脱離防止弁２２Ｆｃによって、挿入した光ファイバ心線Ｆの内部空間２２Ｆａからの脱離が防止される。なお、光ファイバ心線脱離防止弁２２Ｆｃも、内部チューブ２２Ｆの長手方向の全部にわたって形成されてもよいし、一部に形成されてもよい。また、内部空間２２Ｆａの高さは、被覆外径ＤＦよりも低い高さであればよいが、それに限定されず、被覆外径ＤＦの２倍より低い高さであればよい。
【００５８】
図１５は、変形例８に係る内部チューブを端部側から長手方向に沿って見た図である。この変形例８に係る内部チューブ２２Ｇの内部空間２２Ｇａは、光ファイバ心線Ｆの被覆外径ＤＦよりもわずかに低い高さとされた、高さＨ３の交差防止機構領域２２Ｇａａと、高さＨ３よりも高く形成された、高さＨ４の光ファイバ挿入領域２２Ｇａｂとを有している。この内部チューブ２２Ｇの内部空間２２Ｇａに光ファイバ心線Ｆを挿入する場合には、まず、光ファイバ心線Ｆを光ファイバ挿入領域２２Ｇａｂに挿入する。つぎに、挿入した光ファイバ心線Ｆを交差防止機構領域２２Ｇａａに移動する。この内部チューブ２２Ｇの場合も、図１３の変形例６の場合と同様に、内部チューブ２２Ｇを外部チューブ２１に挿入したままでも、光ファイバ心線Ｆの挿入作業が容易である。また、交差防止機構領域２２Ｇａａの高さは、被覆外径ＤＦよりも低い高さであればよいが、それに限定されず、被覆外径ＤＦの２倍より低い高さであればよい。
【００５９】
（実施の形態３）
図１６は、実施の形態３に係る補強スリーブに光ファイバ心線を挿入した状態を示す模式的な一部透視図である。図１６に示すように、補強スリーブ３０は、外部チューブ３１と、外部チューブ３１に挿入された内部部材である内部チューブ３２と、外部チューブ３１内に内部チューブ３２に沿って挿入された抗張力体３３と、を備えている。外部チューブ３１、内部チューブ３２、抗張力体３３の形状や材料は、それぞれ実施の形態１の外部チューブ１１、内部チューブ１２、抗張力体１３と同様である。しかしながら、この補強スリーブ３０では、内部チューブ３２が、長手方向において第１内部チューブ３２ａと第２内部チューブ３２ｂとに分離可能に構成されている。
【００６０】
この補強スリーブ３０を用いた光ファイバ心線Ｆの融着接続方法について図１６を参照して説明する。まず、補強スリーブ３０の領域３０ａに挿入されていた第２内部チューブ３２ｂを取り出す。
【００６１】
つぎに、融着接続すべき４本の光ファイバ心線Ｆを２組準備し、図１６のように、一方の４本の光ファイバ心線Ｆを補強スリーブ３０の第１内部チューブ３２ａに挿入して整列された状態とし、他方の４本の光ファイバ心線Ｆを分離した第２内部チューブ３２ｂに挿入して整列された状態とする。
【００６２】
つぎに、２組の４本の光ファイバ心線Ｆのそれぞれを光ファイバホルダにセットし、光ファイバストリッパで各光ファイバ心線Ｆの先端部の被覆Ｆ２を剥いて光ファイバＦ１を露出させ、光ファイバＦ１の表面のゴミを除去し、光ファイバＦ１の端部を所定の長さに切断する。そして、図５と同様に、２つの光ファイバホルダ１１０をそれぞれ融着接続機１００のホルダステージ１２０にそれぞれ載置し、光ファイバＦ１は位置決めのためのガイドブロック１３０に載置する。つぎに、放電電極１４０によって、対抗する光ファイバＦ１の端面にアーク放電を行い、４本の光ファイバ心線Ｆ同士を一括で融着接続し、その後光ファイバホルダ１１０から取り外す。これによって、図１６に示すような、２組の４本の光ファイバ心線Ｆ同士が融着接続した状態となる。
【００６３】
つぎに、補強スリーブ３０を、４本の光ファイバ心線Ｆ同士の融着接続部Ｃを覆う位置に移動する。つぎに、第２内部チューブ３２ｂを移動させて、補強スリーブ３０の領域３０ａに再び挿入する。その後、融着接続した各光ファイバ心線Ｆを持って補強スリーブ３０を加熱器１５０に移動する。
【００６４】
ここで、４本の光ファイバ心線Ｆ同士を融着接続し、光ファイバホルダ１１０から取り外した後に、４本の光ファイバ心線Ｆ同士が互いに交差する場合がある。しかしながら、補強スリーブ３０を使用した場合には、補強スリーブ３０を、融着接続部Ｃを覆う位置に移動することによって、融着接続前に補強スリーブ３０に挿入した側の４本の光ファイバ心線Ｆの交差が防止される。さらに、第２内部チューブ３２ｂを移動させて補強スリーブ３０の領域３０ａに挿入することによって、融着接続前に第２内部チューブ３２ｂに挿入した側の４本の光ファイバ心線Ｆが交差していたとしても、その交差が解消される。その結果、加熱器１５０への移動の際に整列された４本の光ファイバ心線Ｆ同士が互いに交差することが、より確実に防止される。
【００６５】
（実施の形態４）
図１７は、実施の形態４に係る補強スリーブを端部側から長手方向に沿って見た図である。図１７に示すように、補強スリーブ４０は、外部チューブ４１と、外部チューブ４１に挿入された内部チューブ４２と、外部チューブ４１内に内部チューブ４２に沿って挿入された抗張力体４３と、を備えている。
【００６６】
外部チューブ４１、内部チューブ４２、抗張力体４３の材料、ならびに外部チューブ４１、抗張力体４３の形状は、それぞれ外部チューブ１１、内部チューブ１２、抗張力体１３と同様である。
【００６７】
ここで、内部チューブ４２は、長手方向にわたって形成された、４本の光ファイバ心線Ｆのそれぞれが挿入される複数の孔４２ａを有している。このように、この補強スリーブ４０では、内部チューブ４２が複数の孔４２ａを有することによって交差防止機構が構成されている。この交差防止機構によって、融着接続作業の際に、整列された４本の光ファイバ心線Ｆ同士が互いに交差することが防止される。
【００６８】
なお、孔４２ａの形状や内寸については特に限定はなく、光ファイバ心線Ｆを挿入できる程度の内寸であればよい。また、孔４２ａの数は、少なくとも光ファイバ心線Ｆの本数以上であれば特に限定はされない。たとえば、孔４２ａの数を光ファイバ心線Ｆの本数の２倍程度として、光ファイバ心線Ｆを孔４２ａに一つおきに挿入するようにしてもよい。
【００６９】
なお、本実施の形態４では、複数の孔４２ａが内部チューブ４２の長手方向の全部にわたって形成されているが、長手方向の一部に形成されていてもよい。
【００７０】
（実施の形態５）
図１８は、実施の形態５に係る補強スリーブを端部側から長手方向に沿って見た図である。図１８に示すように、補強スリーブ５０は、外部チューブ５１と、外部チューブ５１に挿入された内部部材５２と、外部チューブ５１内に内部部材５２に沿って挿入された抗張力体５３と、を備えている。
【００７１】
外部チューブ５１、内部部材５２、抗張力体５３の材料、ならびに外部チューブ５１、抗張力体５３の形状は、それぞれ外部チューブ１１、内部チューブ１２、抗張力体１３と同様である。
【００７２】
ここで、内部部材５２は、長手方向にわたって形成された、４本の光ファイバ心線Ｆのそれぞれが挿入される複数のスリット５２ａを有する。このように、この補強スリーブ５０では、内部部材５２が複数のスリット５２ａを有することによって交差防止機構が構成されている。この交差防止機構によって、融着接続作業の際に、整列された４本の光ファイバ心線Ｆ同士が互いに交差することが防止される。
【００７３】
なお、スリット５２ａの形状や内寸については特に限定はなく、光ファイバ心線Ｆを挿入できる程度の内寸であればよい。また、スリット５２ａの数は、少なくとも光ファイバ心線Ｆの本数以上であれば特に限定はされない。たとえば、スリット５２ａの数を光ファイバ心線Ｆの本数の２倍程度として、光ファイバ心線Ｆをスリット５２ａに一つおきに挿入するようにしてもよい。
【００７４】
また、図１９は、実施の形態５の変形例に係る補強スリーブを端部側から長手方向に沿って見た図である。図１９に示す補強スリーブ５０Ａは、実施の形態５に係る補強スリーブ５０において、内部部材５２を、幅が略ゼロの複数のスリット５２Ａａを有する内部部材５２Ａに置き換えたものである。このように、スリットの幅は略ゼロとしてもよい。なお、スリット５２Ａａに光ファイバ心線Ｆを挿入する場合には、各スリット５２Ａａに各光ファイバ心線Ｆを押し当てて、一括して圧入するようにすれば、挿入作業が容易である。
【００７５】
なお、本実施の形態５およびその変形例では、複数のスリット５２ａおよび５２Ａａが内部部材５２または５２Ａの長手方向の全部にわたって形成されているが、長手方向の一部に形成されていてもよい。
【００７６】
つぎに、内部チューブのさらなる変形例について説明する。内部チューブは、一方の端部において、内部空間の内寸よりも広い開口を有するように端部が加工されていてもよい。
【００７７】
図２０は、変形例９に係る内部チューブの側面図である。この内部チューブ２２Ｈは、図８に示す実施の形態２に係る内部チューブ２２と同様の材料および断面形状を有するが、一方の端部において、側面から見て斜めに加工されている。これによって、もともとの内部空間２２Ｈａの内寸よりも広い開口２２Ｈｂを有することになる。これによって、光ファイバ心線Ｆの挿入作業がより容易になる。
【００７８】
図２１は、変形例１０に係る内部チューブの側面図である。この内部チューブ２２Ｉは、内部チューブ２２Ｈと同様の材料および断面形状を有するが、一方の端部において、側面から見てステップ状に加工されている。これによって、もともとの内部空間２２Ｉａの内寸よりも広い開口２２Ｉｂを有することになる。これによって、光ファイバ心線Ｆの挿入作業がより容易になる。
【００７９】
なお、上記実施の形態により本発明が限定されるものではない。上述した各構成要素を適宜組み合わせて構成したものも本発明に含まれる。
【００８０】
たとえば、図１０〜１５、２０、２１に示すスリット、光ファイバ心線脱離防止弁、光ファイバ挿入領域、および端部の開口を広くする構成は、実施の形態１の補強スリーブに、それぞれ単独または同時に適用してもよい。また、各実施の形態およびその変形例に係るいずれの内部チューブも、実施の形態３のように分離した構成としてもよい。
【００８１】
その他、上記実施の形態に基づいて当業者等によりなされる他の実施の形態、実施例および運用技術等は全て本発明に含まれる。
【符号の説明】
【００８２】
１０、２０、３０、４０、５０、５０Ａ  補強スリーブ
１１、２１、３１、４１、５１  外部チューブ
１２、１２Ａ、２２、２２Ａ、２２Ｂ、２２Ｃ、２２Ｄ、２２Ｅ、２２Ｆ、２２Ｇ、  ２２Ｈ、２２Ｉ、３２、３２ａ、３２ｂ、４２  内部チューブ
１２ａ、１２Ａａ、２２ａ、２２Ａａ、２２Ｂａ、２２Ｃａ、２２Ｄａ、２２Ｅａ、２２Ｆａ、２２Ｇａ、２２Ｈａ、２２Ｉａ  内部空間
１３、２３、３３、４３、５３  抗張力体
２２Ｂｂ、２２Ｃｂ、２２Ｄｂ、２２Ｅｂ、２２Ｆｂ、５２ａ、５２Ａａ  スリット
２２Ｄｃ、２２Ｅｃ、２２Ｆｃ  光ファイバ心線脱離防止弁
２２Ｇａａ  交差防止機構領域
２２Ｇａｂ  光ファイバ挿入領域
２２Ｈｂ、２２Ｉｂ  開口
４２ａ  孔
５２、５２Ａ  内部部材
１００  融着接続機
１１０  ファイバホルダ
１１１  溝
１１２  本体部
１１２ａ  上面
１１３  ヒンジ
１１４  仮押さえ蓋
１１４ａ  テーパ部
１１４ｂ  段差
１１４ｃ  隙間
１１５  ヒンジ
１１６  本押さえ蓋
１１７、１１８  弾性部材
１２０  ホルダステージ
１３０  ガイドブロック
１４０  放電電極
１５０  加熱器
Ｃ  融着接続部
ＤＦ  被覆外径
Ｆ  光ファイバ心線
Ｆ１  光ファイバ
Ｆ２  被覆
Ｈ１、Ｈ２、Ｈ３、Ｈ４  高さ
Ｗ１、Ｗ２、ＷＦ  幅
【図１】
0005607590.tif 000002
【図２】
0005607590.tif 000003
【図３】
0005607590.tif 000004
【図４】
0005607590.tif 000005
【図５】
0005607590.tif 000006
【図６】
0005607590.tif 000007
【図７】
0005607590.tif 000008
【図８】
0005607590.tif 000009
【図９】
0005607590.tif 000010
【図１０】
0005607590.tif 000011
【図１１】
0005607590.tif 000012
【図１２】
0005607590.tif 000013
【図１３】
0005607590.tif 000014
【図１４】
0005607590.tif 000015
【図１５】
0005607590.tif 000016
【図１６】
0005607590.tif 000017
【図１７】
0005607590.tif 000018
【図１８】
0005607590.tif 000019
【図１９】
0005607590.tif 000020
【図２０】
0005607590.tif 000021
【図２１】
0005607590.tif 000022